(57)【要約】【課題】レーザー墨出し器を三脚に取り付ける際に、レーザー墨出し器を誤って落下させる恐れを少なくすることができるレーザー墨出し器用アダプターを提供する。【解決手段】レーザー墨出し器用アダプターＢは、三脚に形成された雄ねじが螺合する雌ねじ３を三脚と対向する面に設けた円柱形状を成す本体部１と、レーザー墨出し器Ａと対向する本体部１の面に形成され、レーザー墨出し器Ａの底部に突設された突出部４の周りを囲む円筒形状の包囲壁２と、包囲壁２に貫通して設けた雌ねじ６に外側面から螺合し、先端が包囲壁２の内側面から突出して、突出部と当接するねじ部５ｂとを備えている。さらに包囲壁２には、レーザー墨出し器Ａの３つの脚部１３に設けた凹部９に係合する３つの係合片８が形成されている。【選択図】図１
2007263759.tif 000002
【特許請求の範囲】
【請求項１】
三脚に形成された雄ねじを介して前記三脚に取り付けられ、レーザー墨出し器を載置した状態で保持するレーザー墨出し器用アダプターにおいて、前記雄ねじが螺合する雌ねじを前記三脚と対向する面に設けた本体部と、前記レーザー墨出し器と対向する前記本体部の面に設けられ、前記レーザー墨出し器の底部に突設された突出部の周りを囲む包囲壁と、前記包囲壁に設けたねじ部に外側面から螺合し、先端が前記包囲壁の内側面から突出して前記突出部に当接する固定ねじとを備えたことを特徴とするレーザー墨出し器用アダプター。
【請求項２】
前記レーザー墨出し器の底部には前記突出部の周りに前記突出部よりも突出量の大きい脚部を少なくとも３つ備え、前記脚部のうち少なくとも１つは前記突出部に望む面に凹部を形成してあり、前記凹部に係合する係合片を少なくとも１つ前記包囲壁に突設したことを特徴とする請求項１記載のレーザー墨出し器用アダプター。
【発明の詳細な説明】
【技術分野】
【０００１】
本発明は、三脚に取り付けられ、レーザー墨出し器を載置した状態で保持するレーザー墨出し器用アダプターに関するものである。
【背景技術】
【０００２】
従来より、三脚に取り付けられ、被支持物がねじを介して固定される自由雲台があった（例えば特許文献１参照）。この自由雲台は、球状を成すボールと、このボールに連結され被支持物を固定する上皿と、ボールを回動させて任意の角度で保持する本体とを備えている。この本体は、ボールの外周面と面接するボール受け面が形成された一対の半割体と、両半割体の間隔を変更してボール受け面でボールを挟み、固定するための締結機構とを有している。
【０００３】
この自由雲台は、三脚と対向する本体の面に雌ねじが形成されており、三脚に形成された雄ねじが螺合して三脚に固定される。また被支持物と対向する上皿の面に雄ねじが設けられており、この雄ねじを被支持物の底部に形成された雌ねじに螺合させて被支持物を自由雲台に固定する。そして本体に設けた締結機構により両半割体の間隔を狭め、ボール受け面でボールを挟むことで、ボールが任意の角度で固定され、被支持物の向きが設定できるようになっている。
【特許文献１】特開２００４−３０２３９６号公報（第３頁−第６頁、及び、第１，２図）
【発明の開示】
【発明が解決しようとする課題】
【０００４】
上述の特許文献１に示した自由雲台では、被支持物と対向する上皿の面に雄ねじが設けられており、この雄ねじを被支持物に形成された雌ねじに螺合させて被支持物を固定する。この場合、被支持物も回転させて取り付ける必要があり、回転させる際に誤って被支持物を落下させてしまう恐れがあった。
【０００５】
本発明は上記問題点に鑑みて為されたものであり、その目的とするところは、レーザー墨出し器を三脚に取り付ける際に、レーザー墨出し器を誤って落下させる恐れを少なくすることができるレーザー墨出し器用アダプターを提供することにある。
【課題を解決するための手段】
【０００６】
請求項１の発明は、三脚に形成された雄ねじを介して前記三脚に取り付けられ、レーザー墨出し器を載置した状態で保持するレーザー墨出し器用アダプターにおいて、前記雄ねじが螺合する雌ねじを前記三脚と対向する面に設けた本体部と、前記レーザー墨出し器と対向する前記本体部の面に設けられ、前記レーザー墨出し器の底部に突設された突出部の周りを囲む包囲壁と、前記包囲壁に設けたねじ部に外側面から螺合し、先端が前記包囲壁の内側面から突出して前記突出部に当接する固定ねじとを備えたことを特徴とする。
【０００７】
請求項２の発明は、請求項１の発明において、前記レーザー墨出し器の底部には前記突出部の周りに前記突出部よりも突出量の大きい脚部を少なくとも３つ備え、前記脚部のうち少なくとも１つは前記突出部に望む面に凹部を形成してあり、前記凹部に係合する係合片を少なくとも１つ前記包囲壁に突設したことを特徴とする。
【発明の効果】
【０００８】
請求項１の発明によれば、三脚に固定されたレーザー墨出し器用アダプターにレーザー墨出し器を載置し、突出部を包囲壁の内側に挿入した状態で、包囲壁のねじ部に固定ねじを螺入して、固定ねじの先端を突出部に当接させると、突出部が固定ねじと包囲壁との間に狭持されるので、レーザー墨出し器を回転させることなく三脚に取り付けることができるので、取り付けも容易になり、且つ三脚に取付ける際にレーザー墨出し器を誤って落下させる恐れを少なくすることができるという効果がある。
【０００９】
請求項２の発明によれば、請求項１の効果に加えて、凹部に係合片を係合させることで、レーザー墨出し器がレーザー墨出し器用アダプターに対してずれたり、ぶれたりしなくなるという効果がある。
【発明を実施するための最良の形態】
【００１０】
以下に本発明の実施の形態を図１〜５に基づいて説明する。本発明に係るレーザー墨出し器用アダプターＢは、レーザー墨出し器Ａを三脚Ｃに取り付ける際に、三脚Ｃに固定され、レーザー墨出し器Ａを載置した状態で保持するために用いられる。
【００１１】
まず、レーザー墨出し器Ａについて図１、図２及び図４に基づいて説明する。尚、図１及び図２は、本体ブロック１０を外したレーザー墨出し器Ａをレーザー墨出し器用アダプターＢに装着した状態を示している。レーザー墨出し器Ａは、墨出し用のレーザー光を出力する本体ブロック１０と、本体ブロック１０を支持して床面などの作業面（図示せず）に設置される支持ブロック１２とを備える。この本体ブロック１０は、上下に細長い円筒形状のケース１１と、レーザー光を出力する複数のレーザー出力部を設けた投光器（図示せず）とを有しており、投光器はケース１１で覆われている。またケース１１にはレーザー光を通過させる複数の窓部１４（図４では３箇所図示してある）が設けられており、投光器から出力されたレーザー光が窓部１４を通過し、壁面（図示せず）に鉛直線と水平線とを投射する。
【００１２】
支持ブロック１２は、図１〜図３に示すように、本体ブロック１０を載置する円盤形状の載置台１５を備えている。この載置台１５の下面中央には図１（ｂ）に示すように、円柱形状の突出部４が突設されており、この突出部４の端面中央には雌ねじ１６が形成されている。また載置台１５の下面には突出部４の周りに突出部４よりも突出量の大きい３つの脚部１３が略一定の角度をおいて突設されている。さらに各脚部１３には、突出部４に望む面で係合片８が対応する部位に凹部９がそれぞれ設けられている。尚、レーザー墨出し器Ａをレーザー墨出し器用アダプターＢに装着する際には雌ねじ１６は使用しない。
【００１３】
次に、三脚Ｃについて図４に基づいて説明する。三脚Ｃは、被支持物が載置される円板状の台座１７を備え、台座１７の下面には３本の支持脚１８が突設されている。この支持脚１８は、先端が四角錐形状をしており、この先端で作業面に当接している。また台座１７の上面（載置面）中央には上方に突出する雄ねじ（図示せず）が設けられている。
【００１４】
次に本発明に係る、レーザー墨出し器用アダプターＢについて図１及び図５に基づいて説明する。レーザー墨出し器用アダプターＢは、円柱形状を成す本体部１を備えている。この本体部１の中央には軸方向に貫通穴が設けてあり、この貫通穴の一端側から途中まで雌ねじ３が形成されている。また本体部１には、軸方向他端側の外周部から円筒形状の包囲壁２が軸方向に延出しており、この包囲壁２の内径は突出部４の外径と略同じ寸法に形成されている。またこの包囲壁２の先端部には、凹部９にそれぞれ対応する部位から軸方向に突出する係合片８が形成されており、この係合片８の幅寸法は凹部９の幅と略同じ寸法に形成されている。さらに包囲壁２には、包囲壁２を貫通して雌ねじ６が設けられており、この雌ねじ６に包囲壁２の外側面からねじ部材５のねじ部（固定ねじ）５ｂが螺合する。
【００１５】
次にレーザー墨出し器用アダプターＢを用いてレーザー墨出し器Ａを三脚に取付ける方法について説明する。まずレーザー墨出し器用アダプターＢを、雌ねじ３が形成された面を三脚Ｃの台座１７に対向させた状態で台座１７上に載置し、三脚Ｃの雄ねじを雌ねじ３に螺合させてレーザー墨出し器用アダプターＢを三脚Ｃに固定する。そしてねじ部材５のつまみ５ａをつまみ５ａ側から見て反時計回り（以下この方向を反時計回りといい、反対方向を時計回りという）に回し、ねじ部５ｂの先端を包囲壁２の内面より後退させる。次にレーザー墨出し器Ａをレーザー墨出し器用アダプターＢに載置すると、レーザー墨出し器Ａと対向する面に設けた包囲壁２で囲まれる空間に突出部４が挿入されるとともに、係合片８が凹部９に係合する。この状態でつまみ５ａを時計回りに回し、ねじ部５ｂを螺入させると、ねじ部５ｂの先端が包囲壁２の内側面から突出して、突出部４の側面に形成された窪み７に当接する。この時、突出部４はねじ部５ｂと包囲壁２との間に挟持され、レーザー墨出し器Ａがレーザー墨出し器用アダプターＢに保持され、レーザー墨出し器用アダプターＢを介して三脚Ｃに固定される。尚、この状態からつまみ５ａを反時計回りに回し、ねじ部５ｂの先端を包囲壁２の内面より後退させた状態にして、レーザー墨出し器用アダプターＢに対してレーザー墨出し器Ａを上方に引くことで、レーザー墨出し器Ａを容易に外すことができる。
【００１６】
上述のように三脚Ｃに固定されたレーザー墨出し器用アダプターＢに、レーザー墨出し器Ａを載置、保持することで、レーザー墨出し器Ａを回転させることなく三脚Ｃに取り付けることができるので、取り付けも容易になり、且つ三脚Ｃに取付ける際にレーザー墨出し器Ａを誤って落下させる恐れを少なくすることができる。また包囲壁２の内径を突出部４の外径と略同じ寸法に形成することで、レーザー墨出し器用アダプターＢにレーザー墨出し器Ａを取り付ける際に、がたつきなく取り付けることができる。さらにレーザー墨出し器用アダプターＢの３つの係合片８を、レーザー墨出し器Ａの３つの凹部９にそれぞれ係合させることで、レーザー墨出し器Ａがレーザー墨出し器用アダプターＢに対して周方向にずれたり、ぶれたりしなくなる。
【００１７】
尚、本実施形態では、レーザー墨出し器Ａの突出部４に窪み７を形成し、この窪み７にねじ部５ｂを当接させているが、レーザー墨出し器Ａの突出部４に窪み７がなく、ねじ部５ｂを突出部４の外周面に当接させた場合でも、上述と同様の効果が得られる。また本実施形態では、レーザー墨出し器Ａに３つの脚部１３が形成されているが、この数量は本実施形態に限定されるものではなく、少なくとも３つあればよい。さらに、レーザー墨出し器Ａの凹部９及びレーザー墨出し器用アダプターＢの係合片８をそれぞれ３つ設けてあるが、これらの数量は本実施形態に限定されるものではなく、それぞれ少なくとも１つあればよい。
【図面の簡単な説明】
【００１８】
【図１】（ａ）は本実施形態のレーザー墨出し器用アダプターにレーザー墨出し器を装着した状態の正面図である。（ｂ）は同上のＡ−Ａ断面図である。
【図２】同上の斜視図である。
【図３】同上の下から見た平面図である。
【図４】本実施形態のレーザー墨出し器用アダプターを用いてレーザー墨出し器を三脚に取り付けた状態の斜視図である。
【図５】（ａ）は本実施形態のレーザー墨出し器用アダプターの正面図である。（ｂ）は同上の斜視図である。
【符号の説明】
【００１９】
１        本体部
２        包囲壁
３，６         雌ねじ
４        突出部
５        ねじ部材
５ｂ      ねじ部（固定ねじ）
７        窪み
８        係合片
９        凹部
Ａ        レーザー墨出し器
Ｂ        レーザー墨出し器用アダプター
【図１】
2007263759.tif 000003
【図２】
2007263759.tif 000004
【図３】
2007263759.tif 000005
【図４】
2007263759.tif 000006
【図５】
2007263759.tif 000007